(57)【要約】【課題】多品目の商品等の情報を表示し、その選択に用いるタッチパネル式キーボードに関し、情報の検索性を高めること。【解決手段】コンピュータに対する情報の入力処理に使用するものであって、表示部７２と、表示制御部（ＰＯＳ処理部４）とを備える。表示部は、画面上に複数のキーを表示する。表示制御部は、表示部に第１の画面（メイン画面８０）及び第２の画面（次画面８０Ａ〜８０Ｆ）を設定し、第１の画面に彩色の異なる複数の分類キー（９０Ａ〜９０Ｆ）、分類キーに対応して同一彩色で表示された１又は複数の第１のキー（１００、Ｋ１）を表示し、分類キーにより第２の画面に切り換え、第１の画面と共通のキー（Ｋ１）を異なる彩色で表示し、第２の画面に分類キーに対応する第２のキー（Ｋ２）を分類キーと同一彩色で表示する。【選択図】        図３
2004178443.tif 000002
【特許請求の範囲】
【請求項１】
画面上に複数のキーを表示する表示部と、
この表示部に第１の画面及び第２の画面を設定し、前記第１の画面に彩色の異なる複数の分類キーと、この分類キーに対応して同一彩色で表示された１又は複数の第１のキーとを表示し、前記分類キーの操作により前記第２の画面に切り換えるとともに、この第２の画面に前記第１の画面と共通の前記第１のキーを異なる彩色に変更して表示し、前記分類キーに対応して表示する第２のキーを前記分類キーと同一彩色で表示する表示制御部と、
を備えたことを特徴とするタッチパネル式キーボード。
【請求項２】
画面上に個別の商品又は商品群を表す複数のキーを表示する表示部と、
この表示部に第１の画面及び第２の画面を設定し、前記第１の画面上に彩色の異なる複数の商品群を表す分類キーと、前記商品群に分類される１又は複数の商品毎に設けられて前記分類キーと同一彩色からなる第１のキーとを表示し、前記分類キーの操作により前記第２の画面に切り換えるとともに、前記第２の画面に前記第１の画面と共通の前記第１のキーを異なる彩色に変更して表示し、前記第２の画面に前記分類キーに対応して表示する商品を表す１又は複数の第２のキーを前記分類キーと同一彩色で表示する表示制御部と、
を備えたことを特徴とするＰＯＳシステム。
【請求項３】
画面上に複数のキーを表示するタッチパネル式キーボードの表示方法であって、
第１の画面に彩色の異なる複数の分類キーとともに、この分類キーに対応して同一彩色で表示された１又は複数の第１のキーを表示するステップと、
前記分類キーの操作により前記第１の画面を第２の画面に切り換えるステップと、
前記第２の画面に前記第１の画面と共通の前記第１のキーを異なる彩色に変更して表示するとともに、前記分類キーに対応して表示される第２のキーを前記分類キーと同一彩色で表示するステップと、
を備えたことを特徴とするタッチパネル式キーボードの表示方法。
【請求項４】
画面上に複数のキーを表示するタッチパネル式キーボードの表示プログラムであって、
第１の画面に彩色の異なる複数の分類キーとともに、この分類キーに対応して同一彩色で表示された１又は複数の第１のキーを表示する機能と、
前記分類キーの操作により前記第１の画面を第２の画面に切り換える機能と、
前記第２の画面に前記第１の画面と共通の前記第１のキーを異なる彩色に変更して表示するとともに、前記分類キーに対応して表示される第２のキーを前記分類キーと同一彩色で表示する機能と、
を備え、これらの機能を情報処理装置に実行させることを特徴とするタッチパネル式キーボードの表示プログラム。
【請求項５】
画面上に複数のキーを表示するタッチパネル式キーボードの表示プログラムを格納した記録媒体であって、
第１の画面に彩色の異なる複数の分類キーとともに、この分類キーに対応して同一彩色で表示された１又は複数の第１のキーを表示する機能と、
前記分類キーの操作により前記第１の画面を第２の画面に切り換える機能と、
前記第２の画面に前記第１の画面と共通の前記第１のキーを異なる彩色に変更して表示するとともに、前記分類キーに対応して表示される第２のキーを前記分類キーと同一彩色で表示する機能と、
を備え、これらの機能を情報処理装置に実現させる表示プログラムを格納したことを特徴とする記録媒体。
【発明の詳細な説明】
【０００１】
【発明の属する技術分野】
本発明は、ＰＯＳ（Ｐｏｉｎｔ  ｏｆ  Ｓａｌｅｓ：仕分時点情報）システム等に好適な情報入力装置に関し、特に、複数の画面と彩色によるキー表示とを併用する複数のキー表示を可能にしたタッチパネル式キーボード、ＰＯＳシステム、タッチパネル式キーボードの表示方法、タッチパネル式キーボードの表示プログラム及び記録媒体に関する。
【０００２】
【従来の技術】
従来、多品目の商品を販売するデパートやコンビニエンスストア等において、ＰＯＳシステムが普及している。このＰＯＳシステムでは、顧客が購入する商品の登録を行うためにキーボード装置が不可欠である。このキーボード装置は液晶表示器の表示画面上にタッチパネルを配置したものであって、表示画面に表示されたキーに商品名を表示させ、そのキーをタッチすることにより、選択された商品の登録が行われる。
【０００３】
ところで、タッチパネルを配置して多数のキーを表示し、キー操作によって所望の商品の選択、登録等に用いられるタッチパネル式キーボードを開示した特許文献には次のようなものが存在する。
【０００４】
【特許文献１】
特開平１０−６３９５５号公報
【０００５】
【特許文献２】
特開２０００−３３９５５０号公報
【０００６】
【特許文献３】
特開２００１−２８３３２４号公報
【０００７】
特許文献１には、複数のキーが配置されたタッチパネルとキーに対応する位置に品目等の情報表示をするディスプレイとを備え、キーを指で接触することにより品目等を選択する技術が開示されている。特許文献２には、液晶ディスプレイ上にタッチパネルを配置して操作パネルを構成し、個別の商品を表示したキーと商品グループを表すキーとを配置してグループ単位で切換え表示を可能にし、画面上のキー数を削減した技術が開示されている。また、特許文献３には、商品に対応したキーを表示するとともに、商品分類毎に異なる配色をした販売データ登録装置が開示されている。
【０００８】
【発明が解決しようとする課題】
ところで、タッチパネル式キーボードでは、１つの表示画面で表示できるキー数が限られており、取り扱う商品の品目数は店舗によって異なり、品目数が多い場合には表示されるキーの大きさを縮小して対応するか、切換え可能な複数画面を設定して対応することが必要であった。表示されるキーを小さくすれば、キーに表示される商品名等の文字が小さくなり、検索性が悪化し、キーの操作性も悪化する。また、キー表示を推奨される標準的な大きさに設定し、取扱頻度の低い品目に対応するキーを次画面に表示した場合には、キーの操作性は損なわれないが、メイン画面に登録すべき商品がないことを確認してから、次画面に切り換える操作が必要であるとともに、前画面から次画面に視点を移して商品を探すため、この場合も検索性が悪化する。
【０００９】
そして、このようなキーの大きさを変えることなく、操作性や検索性を悪化させることなく、多品目等の情報を表示すべき課題に対し、特許文献１〜３を参照しても、係る課題を解決できるものではない。
【００１０】
そこで、本発明は、多品目の商品等の情報を表示し、その選択に用いるタッチパネル式キーボードに関し、情報の検索性を高めることを目的とする。
【００１１】
【課題を解決するための手段】
係る課題を解決した本発明に係るタッチパネル式キーボード、ＰＯＳシステム、タッチパネル式キーボードの表示方法、タッチパネル式キーボードの表示プログラム及び記録媒体の構成は以下の通りである。
【００１２】
本発明のタッチパネル式キーボードは、コンピュータに対する情報の入力処理に使用するものであって、表示部７２と、表示制御部（ＰＯＳ処理部４）とを備えたものである。表示部は、画面上に複数のキー（１００）を表示するものである。また、表示制御部は、表示部に第１の画面（メイン画面８０）及び第２の画面（次画面８０Ａ〜８０Ｆ）を設定し、前記第１の画面に彩色の異なる複数の分類キー（９０、９０Ａ〜９０Ｆ）と、この分類キーに対応して同一彩色で表示された１又は複数の第１のキー（Ｋ１）とを表示し、前記分類キーの操作により前記第２の画面に切り換えるとともに、この第２の画面に前記第１の画面と共通の前記第１のキーを異なる彩色に変更して表示し、前記分類キーに対応して表示する第２のキー（Ｋ２）を前記分類キーと同一彩色で表示するものである。
【００１３】
そこで、係るタッチパネル式キーボードにおいて、表示部の画面上に表示される各キーの大きさは任意であり、例えば、文字表示に最適であるとともに、容易なタッチ操作が可能な大きさに設定すればよい。そして、キーの位置を検出する検出手段を備えれば、この検出手段には操作者の指が接触したキーが検出され、接触したキー、即ち、入力キーの位置を表す位置情報が得られる。
【００１４】
また、この表示制御部は、
（１）  切換え可能な第１及び第２の画面の設定
（２）  複数の分類キー及び第１のキーの表示制御
（３）  分類キーに対応する１又は複数の第１のキーに同一の彩色を施す彩色制御
（４）  画面の切換制御
（５）  画面切換えに対応する第１及び第２のキーの表示制御
を行う。即ち、（１）  の処理では、表示部の画面に対し、切換え可能な複数の画面として第１の画面と、第２の画面とを設定する。ここで、第１及び第２の画面とは、切り換えられる複数の画面において、第１の画面は第２の画面に対し前画面等の他の画面であり、第２の画面は第１の画面に対し次画面等の他の画面である関係に立ち、画面数を限定するものではない。（２）  の処理では、各画面に複数の分類キーや、分類キーに関係付けられる１又は複数の第１のキーを表示し、分類キーに対して複数のキーから１又は複数のキーが分類されて関係付けられる。（３）  の処理では、複数の分類キーに異なる彩色表示をし、各分類キーに対応して分類される１又は複数の第１のキーに対して同一の彩色を施し、分類キーと分類される第１のキーとの関係を同一の彩色を以て視覚的に識別可能にする。（４）  の処理では、画面切換え入力を受けて表示部の表示画面を第１の画面から第２の画面に切り換える。そして、（５）  の処理では、第２の画面に第１の画面と共通の第１のキーを第１の画面と異なる彩色で表示するとともに、第２の画面上で分類キーに対応して表示される第２のキーはその分類キーと同一彩色で表示する。なお、説明の都合上、処理の内容を（１）  〜（５）  の処理に分割して説明したが、これらの処理は、同時に行ってもよく、例えば、（１）  及び（２）  の処理を同時に行うことができ、また、（３）  〜（５）  の処理を同時に行うこともできる。また、同一の彩色には明度や彩度の異なる彩色も包含するものとし、また、異なる彩色には色相の相違だけでなく、明度の異なる彩色や彩度の異なる彩色も包含するものとする。
【００１５】
このようなタッチパネル式キーボードによれば、切換え可能な複数の画面を設定し、その画面上に異なる彩色の分類キーと、彩色によって関係付けられた１又は複数の第１のキーとを表示し、分類キーの操作で画面切換えを行い、第２の画面では第１の画面で表示されていた第１のキーを異なる彩色に変更して表示し、第２の画面で登場する第２のキーを分類キーと同一彩色で表示して彩色による関係付けを行うので、１画面でのキー数を増加させることなく、キーボードで選択される例えば、キー単位の情報数を増加できるとともに、画面切換えによる不都合がなく、彩色によるキーの視認性、キー位置の学習性を向上させ、情報の検索性を高めることができる。
【００１６】
また、本発明のＰＯＳシステムは、表示部と、表示制御部とを備えている。表示部は、画面上に個別の商品又は商品群を表す複数のキーを表示する。また、表示制御部は、この表示部に第１の画面及び第２の画面を設定し、前記第１の画面上に彩色の異なる複数の商品群を表す分類キーと、前記商品群に分類される１又は複数の商品毎に設けられて前記分類キーと同一彩色からなる第１のキーとを表示し、前記分類キーの操作により前記第２の画面に切り換えるとともに、前記第２の画面に前記第１の画面と共通の前記第１のキーを異なる彩色に変更して表示し、前記第２の画面に前記分類キーに対応して表示する商品を表す１又は複数の第２のキーを前記分類キーと同一彩色で表示する。
【００１７】
ＰＯＳシステムにおいて、画面上に個別の商品又は商品群を表す複数のキーは、操作者の指が触れる各キーの位置により、キーに表示されている商品や商品群が選択され、登録される。即ち、個別の商品を表す複数のキーに対し、特定の商品群を表すキーが分類キーである。
【００１８】
そこで、このＰＯＳシステムにおいて、表示制御部では、
１）切換え可能な第１及び第２の画面の設定
２）商品群を表す複数の分類キーと、各商品を表す第１のキーの表示制御
３）商品群を表す分類キーと、その分類キーに割り付けられた商品群に対応する個別の商品を表す１又は複数の第１のキーとに同一の彩色を施す彩色制御
４）画面の切換制御
５）画面切換えに対応する第１及び第２のキーの表示制御
を行う。即ち、１）の処理では、表示部の画面に対し、切換え可能な複数の画面として第１の画面と、第２の画面とが設定される。第１及び第２の画面は、各画面間の関係を表すにすぎず、画面数を限定するものではないことは既に述べた通りである。２）の処理では、各画面に商品群を表す複数の分類キーや、各分類キーに関係付けられる個別の商品を表す１又は複数の第１のキーを表示し、分類キーに対して複数のキーから１又は複数のキーが分類されて関係付けられる。３）の処理では、複数の分類キーに異なる彩色表示をし、各分類キーに対応して分類される１又は複数の第１のキーに対して同一の彩色を施し、分類キーと分類される第１のキーとの関係を同一の彩色を以て視覚的に識別可能にする。即ち、各商品群とその商品群に含まれる商品との関係を同一彩色で関係付け、他の商品群又は商品とを異なる彩色によって区別する。４）の処理では、画面切換え入力を受けて表示部の表示画面を第１の画面から第２の画面に切り換える。
【００１９】
また、５）の処理では、第２の画面に第１の画面と共通の第１のキーを第１の画面と異なる彩色で表示するとともに、第１の画面で操作された特定の商品群を表す分類キーに対応して第２の画面上で表示される第２のキーは分類キーと同一彩色で表示する。即ち、第１の画面では、分類キーに割り付けた商品群に含まれる商品を表示した第１のキーが分類キーと同一彩色で表示され、同一の商品群を同一色としていたのに対し、第２の画面では、第２の画面で登場する同一商品群の商品を表す第２のキーに同一の彩色を施すことで、第２の画面で同一商品群の商品が存在することを知ることができる。
【００２０】
この場合も同様に、処理の内容を１）〜５）の処理に分割して説明したが、これらの処理を同時に行ってもよく、例えば、１）及び２）の処理を同時に行うことができ、また、３）〜５）の処理を同時に行うこともできる。
【００２１】
従って、係るＰＯＳシステムによれば、切換え可能な複数の画面を設定し、その画面上に彩色を異ならせて商品群を表す分類キーと、彩色によって関係付けられた商品を表す１又は複数の第１のキーとを表示し、分類キーの操作で画面切換えを行い、第２の画面で登場する新たな商品を表す第２のキーを分類キーと同一彩色で関係付けることができる。また、このＰＯＳシステムによれば、１画面での多品目に対応するためにキー数を増加させることなく、彩色によって関係付けられたキーを複数画面で表示するので、キー単位の商品数を増加できるとともに、画面切換えによる不都合がなく、登録する商品の検索性を高め、登録作業の効率化を図ることができる。
【００２２】
また、本発明のタッチパネル式キーボードの表示方法は、画面上に複数のキーを表示するタッチパネル式キーボードの表示方法であって、
Ａ  分類キーと分類キーに対応する第１のキーの表示
Ｂ  第１及び第２の画面切換え
Ｃ  第１の画面と第２の画面の切換えに対応する第１及び第２のキーの彩色
の各処理をするステップを含んでいる。ステップＡでは、第１の画面に分類キー及び分類キーに対応する１又は複数の第１のキーを表示するとともに、分類キーに対応する１又は複数の第１のキーと分類キーとを同一彩色で関係付ける。ステップＢでは、分類キーの操作により前記第１の画面を第２の画面に切り換える。また、ステップＣでは、第２の画面においても前記分類キーに対応する第１のキーを第１の画面と異なる彩色で表示するとともに、第２の画面で登場する第２のキーを前記分類キーと同一彩色で表示する。
【００２３】
このようなタッチパネル式キーボードの表示方法によれば、切換え可能な複数の画面を設定し、その画面上に彩色の異なる分類キーと、彩色によって関係付けられた１又は複数の第１のキーとを表示し、第２の画面に分類キーと関係付けられた共通の第１のキーを異なる彩色で表示するとともに、第２の画面で登場する第２のキーを分類キーと同一彩色で関係付けを行うので、１画面でのキー数を増加させることなく、画面上で選択される例えば、キー単位の情報数を増加できるとともに、画面切換えによる不都合がなく、登録作業の効率化を図ることができる等、キー選択の機能性及び情報検索性を高めることができる。
【００２４】
また、本発明のタッチパネル式キーボードの表示プログラムは、画面上に複数のキーを表示するタッチパネル式キーボードの表示プログラムであって、前記表示方法をプログラムによって記述したものである。即ち、係る表示プログラムは、
ａ  第１の画面に彩色の異なる複数の分類キーとともに、この分類キーに対応して同一彩色で表示された１又は複数の第１のキーを表示する機能
ｂ  分類キーの操作により第１の画面を第２の画面に切り換える機能
ｃ  第２の画面に第１の画面と共通の第１のキーを異なる彩色に変更して表示するとともに、分類キーに対応して表示される第２のキーを分類キーと同一彩色で表示する機能
を備えており、これらの機能を情報処理装置に実行させるものである。
【００２５】
このようなタッチパネル式キーボードの表示プログラムによれば、第１の画面で彩色によって区別された第１のキーを操作して所望の情報を選択でき、第１の画面の第１のキーに割り付けられていない情報を検索する場合には、対応する分類キーを操作して第２の画面に切り換え、第２の画面上の対応する第２のキーの操作で所望の情報を選択することができる。また、第２の画面上に第１の画面と共通の第１のキーを第１の画面と異なる彩色で表示するので、その彩色の同一又は相違によって情報の分類を認識して選択できる。即ち、第２の画面で登場する第２のキーを分類キーと同一彩色で関係付けを行っているので、選択される情報量が増加しても１画面でのキー数を増加させる必要はなく、画面切換えと相俟ってキーボードで選択される例えば、キー単位の情報数を増加できるとともに、同一彩色による関連付けで画面切換えによる不都合がなく、キーによって選択可能な情報数の増大、その情報選択の機能性及び情報検索性を高めることができる。
【００２６】
また、本発明の記録媒体は、本発明に係る表示プログラムを格納した記録媒体、即ち、画面上に複数のキーを表示するタッチパネル式キーボードの表示プログラムを格納した記録媒体であって、表示プログラムを実行するに必要な機能として、
ａ  第１の画面に彩色の異なる複数の分類キーとともに、この分類キーに対応して同一彩色で表示された１又は複数の第１のキーを表示する機能
ｂ  分類キーの操作により第１の画面を第２の画面に切り換える機能
ｃ  第２の画面に第１の画面と共通の第１のキーを異なる彩色に変更して表示するとともに、分類キーに対応して表示される第２のキーを分類キーと同一彩色で表示する機能
を備えており、係る機能を情報処理装置に実現させるものである。
【００２７】
このような記録媒体によれば、既述した通り、切換え可能な第１及び第２の画面を設定し、各画面には情報に対応した第１及び第２のキー、情報を分類する分類キーを表示するとともに、第１及び第２の画面で共通する第１のキーを画面切換えによって彩色を異ならせ、第２の画面で登場する第２のキーを分類キーと同一の彩色で関係付けるので、タッチパネル式キーボードのキー選択の機能性及び情報検索性を高めることができる。
【００２８】
【発明の実施の形態】
図１は、ＰＯＳシステムの概要を示しており、このＰＯＳシステムには、本発明の実施の形態に係るタッチパネル式キーボード、タッチパネル式キーボードの表示方法、タッチパネル式キーボードの表示プログラム及び記録媒体が具現化されている。
【００２９】
このＰＯＳシステムでは、１つのストアサーバ２に対し、商品情報処理部として複数のＰＯＳ処理部４が備えられている。この実施の形態では、３組のＰＯＳ処理部４が設置されているが、これらは単一の売場や店舗のキャッシャに設置し、又は各ＰＯＳ処理部４を異なる店舗に個別に設置してもよい。また、１つのストアサーバ２とＰＯＳ処理部４とはＬＡＮ（Ｌｏｃａｌ  Ａｒｅａ  Ｎｅｔｗｏｒｋ）ケーブル等、情報を伝達可能な情報伝送媒体６を介して連係されている。この情報伝送媒体６は無線であってもよい。また、ＰＯＳ処理部４は、１組又は４組以上で構成してもよい。
【００３０】
このＰＯＳシステムにおいて、ストアサーバ２は、商品情報や画面情報等を格納するデータベースを構成するコンピュータであって、画面情報として画面レイアウトファイル８、商品情報として商品マスタファイル１０に区分けされて格納されている。また、各ＰＯＳ処理部４はコンピュータで構成されており、入力装置としてのスキャナ１２及びキーボード部１４から入力される商品情報等の情報処理を行う。スキャナ１２は、販売される商品等から商品情報として例えば、バーコードを走査によって読み取る手段であり、キーボード部１４はキータッチによる商品の選択や、その商品の登録等に用いられる。
【００３１】
また、ストアサーバ２には、例えば、図２に示すように、情報処理手段としてＣＰＵ（Ｃｅｎｔｒａｌ  Ｐｒｏｃｅｓｓｉｎｇ  Ｕｎｉｔ  ）１６、メモリ１８、記録媒体としてハードディスク（Ｈａｒｄ  Ｄｉｓｋ  ：ＨＤＤ）２０、記録媒体としてデータベース（Ｄａｔａｂａｓｅ：ＤＢ）２２等が設けられる。ＣＰＵ１６は、商品情報のデータベース化等、各種の情報処理を実行する手段である。メモリ１８は例えば、ＲＡＭ（Ｒａｎｄｏｍ  Ａｃｃｅｓｓ  Ｍｅｍｏｒｙ）で構成され、ＣＰＵ１６がＨＤＤ２０等から読み出した表示プログラム等の各種のプログラムを展開するとともに、そのプログラム処理における処理途上のデータ等を一時的に保持する。データベース２２は各種の情報を格納しており、下位のデータベースとして既述した画面レイアウトファイル８及び商品マスタファイル１０（図１）が備えられている。この実施の形態では、データベース２２はＨＤＤ２０と別個の構成であるが、データベース２２をＨＤＤ２０と一体に構成してもよい。
【００３２】
このストアサーバ２において、表示出力部２４は商品情報等、表示出力を取り出す手段であり、この表示出力部２４から出力される文字や画像等の表示情報は表示部として設置された例えば、ＬＣＤ（Ｌｉｑｕｉｄ  Ｃｒｙｓｔａｌ  Ｄｉｓｐｌａｙ）表示器２６に展開、表示される。また、このストアサーバ２において、入力部２８は、商品情報等、各種の情報をＣＰＵ１６に取り込む手段であり、この入力部２８には入力装置としてキーボード３０やマウス３２が設けられている。キーボード３０は文字や記号等の情報をＣＰＵ１６に入力する手段であり、マウス３２はＬＣＤ表示器２６の画面上の位置を入力する手段である。また、このストアサーバ２には、ＬＡＮ（Ｌｏｃａｌ  Ａｒｅａ  Ｎｅｔｗｏｒｋ）３４を介して他の情報処理手段として図示しないコンピュータが接続される。
【００３３】
また、ＰＯＳ処理部４には、例えば、図３に示すように、情報処理手段としてＣＰＵ３６、メモリ３８、記録媒体としてＨＤＤ（ハードディスク）４０、記録媒体としてＤＢ（データベース）４２等が設けられている。このＰＯＳ処理部４において、ＣＰＵ３６は、本発明に係るタッチパネル式キーボードの表示方法、表示プログラム等、各種の情報処理を実行する手段である。メモリ３８は、例えば、ＲＡＭで構成され、ＣＰＵ３６がＨＤＤ４０等から読み出した表示プログラム等の各種のプログラムを展開し、そのプログラム処理における処理途上のデータ等を一時的の保持に用いられる。ＤＢ４２は、ストアサーバ２のＤＢ２２に対応するものであって、同様に各種の商品情報を格納しており、下位のデータベースとして画面レイアウトファイル４４及び商品マスタファイル４６が備えられている。この実施の形態では、ＤＢ４２はＨＤＤ４０と別個の構成であるが、ＤＢ４２をＨＤＤ４０と一体に構成してもよい。本発明に係る表示プログラム等を記録する記録媒体としては、ＨＤＤ４０の他、ＣＤ−ＲＯＭやＦＤ等の各種の記録手段を用いることができる。
【００３４】
このＰＯＳ処理部４において、表示出力部４８は登録商品、その他の商品情報等、各種表示出力を取り出す手段であって、この表示出力部４８から出力される文字や画像等の表示情報は表示部として設置された例えば、ＬＣＤ表示器５０やカストマディスプレイ５２に展開、表示される。また、このＰＯＳ処理部４において、出力部５４は、例えば、レシートデータを出力する手段であって、このレシートデータは情報提示部であるレシートプリンタ５６によって用紙に印刷して出力される。また、入力部５８は、商品情報等、各種の情報をＣＰＵ３６に取り込む手段であり、この入力部５８には入力装置としてＰＯＳキーボード６０やタッチスキャナ６２（＝図１のスキャナ１２）が設けられている。ＰＯＳキーボード６０は文字や記号等の情報をＣＰＵ３６に入力する手段であり、タッチスキャナ６２は、商品の情報表示部等に接触させることにより、商品番号、商品名、価格等の商品情報をＣＰＵ３６に取り込む手段である。また、このＰＯＳ処理部４においても、ＬＡＮ６４を介して他の情報処理手段として図示しないコンピュータが接続される。
【００３５】
そして、このＰＯＳ処理部４には、情報伝送媒体としてケーブル６６を介してキーボード部１４が接続されており、このキーボード部１４に対し、ＰＯＳ処理部４は表示制御部等として機能する。このキーボード部１４において、入力部６８は商品情報をＣＰＵ３６に取り込む手段であり、この入力部６８には入力装置としてタッチパネル７０が接続され、このタッチパネル７０は表示部７２に設置され、表示出力部７４の表示出力によって表示部７２に展開される画面、その画面上のキーに対する操作者の指のタッチ位置を検出する検出手段を構成している。即ち、タッチパネル７０には、操作者の指が接触したキーが検出され、接触したキー、即ち、入力キーの位置を表す位置情報が出力される。表示部７２は例えば、ＬＣＤ表示器で構成されており、この表示部７２には、表示出力部７４からの表示出力により、後述のように分類キーや分類キーに関係付けられる１又は複数のキーが表示されるが、そのキーに対するタッチ位置が、位置情報として入力部６８からＣＰＵ３６に取り込まれる。この場合、入力部６８には、他の入力手段としてキオスクキーボード７６が接続されており、キオスクキーボード７６は、タッチパネル７０とは別に商品の価格等の数値情報を入力部６８を通してＣＰＵ３６に入力する手段である。
【００３６】
また、ストアサーバ２のＤＢ２２に格納される情報には、画面番号、商品番号、キー名称、色、サイズ、キー位置情報、次画面番号等、キーボード部１４の表示部７２に表示される画面に関する画面情報、商品番号、商品名、価格等の商品情報が存在する。そこで、例えば、図４の（Ａ）に示すように、ＤＢ２２には既述したように、画面レイアウトファイル８と商品マスタファイル１０が設定されており、画面レイアウトファイル８には画面番号、商品番号、キー名称、色、サイズ、キー位置情報、次画面番号等の画面情報が格納され、また、商品マスタファイル１０には商品番号、商品名、価格等の商品情報が格納されている。
【００３７】
画面レイアウトファイル８のデータ構造を一覧表で示すと、例えば、図４の（Ｂ）のようになる。このデータ構造において、画面番号は表示部７２に設定される第１の画面としてのメイン画面を示す番号であって、この実施の形態では、４桁の数字例えば、「１０００」で表示される。また、商品番号は販売及び登録する商品を識別する番号であり、例えば、５桁の数字で表される。また、キー名称は、表示部７２に表示される画面切換キー、分類キー、分類キーに関係付けられた１又は複数の個別のキーに付された名称であって、この実施の形態では、「メイン品目」、「葉もの野菜」、「その他野菜」、「果物」、「津軽りんご」・・・・等が付されている。この場合、画面切換キーに「メイン品目」、分類キーに「葉もの野菜」、「その他野菜」、「果物」等、個別のキーに「津軽りんご」等が付されている。色は、キーに付される彩色を表しており、この実施の形態では、分類キーと分類キーに関係付けられた１又は複数の個別のキーは同一の彩色に設定されている。例えば、「果物」キーと、果物に分類される「津軽りんご」キーは桃色に設定されている。また、サイズはキーの形状や大きさを表す。キー位置情報は、各キーの画面上の位置を表し、例えば、「メイン品目」キーの位置は（０１，０１）、「果物」キーの位置は（０１，０４）、「津軽りんご」キーの位置は（０２，０１）で表される。また、次画面番号は、第１の画面であるメイン画面に対し、第２の画面である次画面を表す番号であり、例えば、「２４００」では、次画面の４番目ということになる。即ち、第２の画面は複数の画面で構成されている。
【００３８】
また、商品マスタファイル１０の情報において、商品番号は画面レイアウトファイル８における商品番号と同一であり、商品名はキー名称に対応し、価格は個別商品の値段を表す。即ち、画面レイアウト情報と商品マスタ情報とは商品番号によって関係付けられている。
【００３９】
このデータ構造に基づき、本発明の実施の形態に係る表示方法及び表示プログラムによって表示画面を構成すれば、表示部７２には例えば、図５に示すように、第１の画面としてのメイン画面８０、第２の画面として例えば、複数の次画面８０Ａ、８０Ｂ、８０Ｃ、８０Ｄ、８０Ｅ、８０Ｆが切換え可能に構成されている。表示部７２のメイン画面８０には画面切換キー８８、商品分類に対応する複数の分類キー９０、個別の商品に対応するキー１００が表示され、この場合、キー１００は複数の第１のキー即ち、Ｍ行Ｎ列に配列された第１のキーＫ１で構成されている。次画面８０Ａ〜８０Ｆにも画面切換キー８８及び分類キー９０とともに、キー１００、Ｋ１が表示可能であり、次画面８０Ａ〜８０Ｆのみに１又は複数の第２のキーＫ２が表示可能である。この場合、メイン画面８０、次画面８０Ａ〜８０Ｆに表示されるキー１００において、メイン画面８０側及び次画面８０Ａ〜８０Ｆに共通に表示されるキーＫ１に対し、次画面８０Ａ〜８０Ｆのみに表示されるキーをＫ２とする。
【００４０】
メイン画面８０において、分類キー９０は例えば、複数の分類キー９０Ａ、９０Ｂ、９０Ｃ、９０Ｄ、９０Ｅ、９０Ｆで構成され、次画面８０Ａ〜８０Ｆへの切換えの際に操作される。この場合、各分類キー９０Ａ〜９０Ｆと次画面８０Ａ〜８０Ｆとは対応関係にあり、例えば、分類キー９０Ａで次画面８０Ａ、分類キー９０Ｂで次画面８０Ｂが表示部７２に展開、表示される。この場合、第２の画面である次画面８０Ａ〜８０Ｆの何れかが表示されているとき、その画面上の画面切換キー８８の操作でメイン画面８０に復帰させることができる。表示部７２上に設置されたタッチパネル７０は、表示された分類キー９０Ａ〜９０Ｆ及びキーＫ１の位置を検出し、タッチされた分類キー９０Ａ〜９０Ｆ又はキーＫ１の何れかの操作及びその位置情報を出力する。なお、この実施の形態では、画面切換キー８８、分類キー９０Ａ〜９０Ｆの分類に関係付けられる各キーＫ１の形状を正方形状とし、その配置をマトリックス状としているが、これらは一例であって、本発明がこれらの形状や配置に限定されるものではない。また、画面切換キー８８及び分類キー９０Ａ〜９０Ｆの位置も左側に設定する必要はなく、右側、中央、又は上下の何れであってもよい。
【００４１】
このように切換え可能なメイン画面８０及び次画面８０Ａ〜８０Ｆ、画面切換キー８８、分類キー９０及びキー１００を構成すれば、１画面ではキー１００の表示数に限界があるが、分類キー９０又は画面切換キー８８による画面切換えにより画面数に比例した数のキー１００を設定できるので、その表示サイズを縮小することなく、多数のキー数を設定することができる。この場合、６組の分類キー９０Ａ〜９０Ｆを設定したが、これ以上の多数の分類キー９０を設定してもよく、各分類キー９０Ａ〜９０Ｆに対応する次画面８０Ａ〜８０Ｆについても、１対１の関係ではなく、１つの分類キー９０として例えば、分類キー９０Ａに２以上の次画面８０Ａ１  、８０Ａ２  ・・・を設定すれば、より多くのキー数を設定することができる。
【００４２】
また、メイン画面８０において、キー１００には、例えば、図６に示すように、分類キー９０Ａ〜９０Ｆに対応するキーエリア１００Ａ、１００Ｂ、１００Ｃ、１００Ｄ、１００Ｅ、１００Ｆを設定し、個別のキー１００、Ｋ１をグループ化する。この実施の形態では、分類キー９０Ａ、９０Ｂに対応するキーエリア１００Ａ、１００Ｂがキー１００の中央部に、分類キー９０Ｃ、９０Ｄに対応するキーエリア１００Ｃ、１００Ｄがキー１００の左部に、分類キー９０Ｅ、９０Ｆに対応するキーエリア１００Ｅ、１００Ｆがキー１００の右部に配置されている。係る構成とすれば、例えば、分類キー９０Ａ〜９０Ｆは使用頻度の高いものを上位に、キーエリア１００Ａ〜１００Ｆを使用頻度に応じて中央に配置することができる。
【００４３】
また、このメイン画面８０において、例えば、図７に示すように、分類キー９０Ａとキーエリア１００Ａに含まれるキーＫ１を同一の彩色例えば、緑色（ｇｎ）、分類キー９０Ｂとキーエリア１００Ｂに含まれるキーＫ１を同一の彩色例えば、黄色（ｙ）、分類キー９０Ｃとキーエリア１００Ｃに含まれるキーＫ１を同一の彩色例えば、桃色（ｐ）、分類キー９０Ｄとキーエリア１００Ｄに含まれるキーＫ１を同一の彩色例えば、青色（ｂ）、分類キー９０Ｅとキーエリア１００Ｅに含まれるキーＫ１を同一の彩色例えば、灰色（ｇｒ）、分類キー９０Ｆとキーエリア１００Ｆに含まれるキーＫ１を同一の彩色例えば、橙色（ｏ）に色付けして表示することにより、彩色による関係付けを行う。即ち、彩色によって分類キー９０Ａ〜９０Ｆとキーエリア１００Ａ〜１００Ｆとの関係付けが行われ、キー１００、Ｋ１の分類が異なる彩色で行われる。係る構成によれば、彩色によって分類キー９０Ａ〜９０Ｆと複数のキーＫ１との関係を容易に判別することが可能になる。
【００４４】
そして、このメイン画面８０において、分類キー９０Ｃに指を接触させると、例えば、図８に示すように、次画面８０Ｃが表示部７２に展開される。この次画面８０Ｃでは、メイン画面８０と同位置に画面切換キー８８及び分類キー９０Ａ〜９０Ｆが表示されるとともに、キーエリア１００ＣのキーＫ１が表示され、次画面８０Ｃに設定された新たなキーエリア１０３ＣのキーＫ２が表示される。この場合、キーエリア１００ＣのキーＫ１は、メイン画面８０と異なる彩色例えば、濃い灰色（ｈｇｒ）で表示し、新たなキーエリア１０３ＣのキーＫ２は分類キー９０Ｃと同一彩色、この場合、桃色（ｐ）で表示する。即ち、キーエリア１０３ＣのキーＫ２と分類キー９０Ｃとの彩色による関係付けが行われている。また、メイン画面８０で表示されていた他の分類キー９０Ａ、９０Ｂ、９０Ｄ〜９０Ｆに関係付けられたキーエリア１００Ａ、１００Ｂ、１００Ｄ〜１００Ｆの各キーＫ１は消去される。
【００４５】
また、メイン画面８０において、分類キー９０Ａに指を接触させると、例えば、図９に示すように、次画面８０Ａが表示部７２に展開される。同様に、次画面８０Ａには、メイン画面８０と同位置に画面切換キー８８及び分類キー９０Ａ〜９０Ｆ、キーエリア１００ＡのキーＫ１が表示されるとともに、新たなキーエリア１０３ＡのキーＫ２が表示される。この場合、キーエリア１００ＡのキーＫ１は、メイン画面８０と異なる彩色例えば、濃い灰色（ｈｇｒ）で表示され、新たなキーエリア１０３ＡのキーＫ２が分類キー９０Ａと同一彩色、この場合、緑色（ｇｎ）で表示される。同様に、キーエリア１０３ＡのキーＫ２と分類キー９０Ａとの彩色による関係付けが行われ、メイン画面８０で表示されていた他の分類キー９０Ｂ〜９０Ｆに関係付けられたキーエリア１００Ｂ〜１００Ｆの各キーＫ１は消去される。
【００４６】
このように、分類キー９０Ａ〜９０Ｆの操作によって画面切換えが可能であるとともに、分類キー９０Ａ〜９０Ｆに対応する次画面８０Ａ〜８０Ｆにメイン画面８０で表示されていたキーエリア１００Ａ〜１００ＦのキーＫ１を異なる彩色で表示し、次画面８０Ａ〜８０Ｆで新たに登場するキーエリア１０３Ａ〜１０３ＦのキーＫ２を分類キー９０Ａ〜９０Ｆと同一彩色で関係付け、他のキーエリアに属するキーを消去して表示するので、各キーの識別性及び検索性を高めることができる。分類キー９０Ａ〜９０Ｆに対応する次画面８０Ａ〜８０Ｆに表示されるメイン画面８０のキーエリア１００Ａ〜１００ＦのキーＫ１については、目立たない彩色、例えば、灰色とすることにより、次画面８０Ａ〜８０Ｆで登場する新たなキーエリア１０３Ａ〜１０３ＦのキーＫ２との判別を容易化することができる。
【００４７】
また、メイン画面８０において、画面切換キー８８、分類キー９０Ａ〜９０Ｆ及び各キーエリア１００Ａ〜１００Ｆの各キーＫ１に図４の（Ｂ）に示したメイン品目、各商品群（商品類）を表す名称、各商品名を、例えば、図１０に示すように文字を用いて表示する。この場合、画面切換キー８８には「メイン品目」、分類キー９０Ａには「葉もの野菜」、分類キー９０Ｂには「その他野菜」等が割り付けられている。従って、例えば、「葉もの野菜」を割り付けたキーエリア１００ＡのキーＫ１には「レタス２個」、「レタス１個」等が割り付けられ、果物を割り付けたキーエリア１００ＣのキーＫ１には「津軽りんご」、「紅玉」等が割り付けられている。
【００４８】
また、分類キー９０Ａ〜９０Ｆの操作によって展開される次画面８０Ａ〜８０Ｆにおいて、次画面８０Ｃには、例えば、図１１に示すように、メイン画面８０と共通にキーエリア１００ＣのキーＫ１に「津軽りんご」、「紅玉」等を表示するとともに、新たにキーエリア１０３ＣのキーＫ２に分類キー９０Ｃに関係付けられた「マンゴー」、「パインアップル」等が表示され、また、例えば、図１２に示すように、メイン画面８０と共通にキーエリア１００ＡのキーＫ１に「レタス２個」、「レタス１個」等を表示するとともに、新たにキーエリア１０３ＡのキーＫ２に分類キー９０Ａに関係付けられた「ホウレンソウ」、「サニーレタス」、「ルッコラ」、「白菜」、「春菊」等が表示される。
【００４９】
そして、表示部７２に展開されるメイン画面８０及び次画面８０Ａ〜８０Ｆの分類キー９０Ａ〜９０Ｆ、各キーエリア１００Ａ〜１００Ｆの各キーＫ１、Ｋ２に以上述べた彩色と文字表示とを重ねて表示すれば、例えば、図１３に示すようにメイン画面８０が表示され、例えば、図１４に示すように、次画面８０Ｃが表示され、また、例えば、図１５に示すように、次画面８０Ａが表示されることになる。
【００５０】
このような表示方法によれば、分類キー９０Ａ〜９０Ｆで分類される各商品群を文字及び彩色によって識別が可能であり、各キーＫ１には各商品群に含まれる商品名を個別に表示するとともに同一彩色によって分類キー９０Ａ〜９０Ｆに関係付けて表示するので、分類キー９０Ａ〜９０Ｆと関係付けられた各キー１００、Ｋ１とを容易に識別できる等、分類キー９０Ａ〜９０Ｆに彩色によって関係付けられたキーＫ１、Ｋ２の視認性を高め、登録すべき各商品の検索性を高めることができる。
【００５１】
また、この場合、次画面８０Ａ〜８０Ｆにおいても、メイン画面８０と共通位置に配置されたキーＫ１に同一商品を表示するとともに、表示されるキーＫ１に隣接して設定されるキーＫ２に新たな商品を表示するので、次画面８０Ａ〜８０Ｆで新たな商品を選択して登録することができるとともに、メイン画面８０側の商品を選択して登録することもできる。また、「メイン品目」が表示された画面切換キー８８を操作すれば、次画面８０Ａ〜８０Ｆからメイン画面８０に切り換えることができる。
【００５２】
そこで、本発明の実施の形態に係るＰＯＳシステムについて、キーボード部１４を用いた画面の表示方法及びその表示プログラムを例えば、図１６〜図１９に示すフローチャートを参照して説明する。
【００５３】
図１６は、画面表示制御のメインルーチンを示している。このメインルーチンにおいて、ステップＳ１ではメイン画面８０の表示処理を行う。即ち、図５〜図１５を参照して述べた通り、表示部７２にメイン画面８０及び次画面８０Ａ〜８０Ｆを設定し、メイン画面８０及び次画面８０Ａ〜８０Ｆに、画面切換キー８８、分類キー９０Ａ〜９０Ｆ及びキーエリア１００Ａ〜１００ＦのキーＫ１を彩色して表示し、画面切換キー８８には、「メイン品目」を表示し、分類キー９０Ａ〜９０Ｆに商品群を表す名称、各キーＫ１には個別の商品が設定され、その上でメイン画面８０の表示が行われる。
【００５４】
ステップＳ２では、個別の商品名が表示されたキーＫ１、即ち、商品キーが操作されたか、分類キー９０Ａ〜９０Ｆの何れかが操作されたかを判別する。商品キーに指を接触させると、その接触したキーＫ１に表示されている商品が選択され、ステップＳ３に移行して商品登録処理が行われる。この商品登録処理においては、接触したキーＫ１のタッチ位置情報がタッチパネル７０から出力され、この位置情報に基づいて商品マスタファイル１０が参照され、商品番号、商品名及び価格が読み出されて登録される。
【００５５】
このステップＳ３の後、ステップＳ４では分類キー９０Ａ〜９０Ｆの操作後の商品登録か否かを判定し、分類キー９０Ａ〜９０Ｆの操作後でない場合には、ステップＳ２に戻る。
【００５６】
また、ステップＳ２で分類キー９０Ａ〜９０Ｆの何れかが操作された場合にはステップＳ５に移行し、分類画面表示処理として分類キー９０Ａ〜９０Ｆに関係付けられた次画面８０Ａ〜８０Ｆの表示処理を行う。この場合、接触した分類キー９０Ａ〜９０Ｆのタッチ位置情報がタッチパネル７０から出力され、この位置情報に基づいて画面レイアウトファイル８が参照され、接触した分類キー９０Ａ〜９０Ｆに関係付けられた次画面８０Ａ〜８０Ｆの何れかが表示部７２に展開され、分類キー９０Ａ〜９０Ｆに対応するキーエリア１００Ａ〜１００Ｆの何れかのキーＫ１とともに新たなキーエリア１０３Ａ〜１０３ＦのキーＫ２が表示される。
【００５７】
このような表示の後、ステップＳ２に戻り、商品キーの選択、商品の登録処理がステップＳ３で行われた後、ステップＳ４で分類キー９０Ａ〜９０Ｆの操作後の処理を完了した場合にはステップＳ１に戻り、メイン画面８０に復帰する。
【００５８】
また、このプログラム処理において、ステップＳ１のメイン画面８０の表示処理は、例えば、図１７に示すフローチャートで実行される。図１７は、メイン画面８０の表示制御を示している。
【００５９】
ステップＳ１１ではメイン画面８０を表す画面番号即ち、「１０００」｛図４の（Ｂ）に示す画面番号｝が設定される。
【００６０】
この画面番号が設定されると、ステップＳ１２に移行し、画面番号「１０００」の要素、即ち、キー名称、色、サイズ及びキー位置等の情報を画面レイアウトファイル８から抽出する。
【００６１】
ステップＳ１３では、ステップＳ１２で抽出された情報を基にメイン画面８０を構成し、ステップＳ１４で表示部７２に画面に展開し、表示する。この画面表示の後、メインルーチン（図１６）に戻る。
【００６２】
また、図１６に示すプログラム処理において、ステップＳ３の商品登録処理は、例えば、図１８に示すフローチャートで実行される。図１８は、商品登録処理を示している。
【００６３】
ステップＳ３１ではメイン画面８０又は次画面８０Ａ〜８０Ｆ上で操作者が指を接触させたキーＫ２又はキーＫ１の位置を検出する。この処理は、タッチパネル７０によって行われ、接触したキーの位置を表すキー位置情報がタッチパネル７０からＣＰＵ３６に取り込まれる。
【００６４】
ステップＳ３２では、キー位置情報を基にキーに対応する商品番号が抽出される。即ち、この処理は画面レイアウトファイル８を参照して抽出される。
【００６５】
ステップＳ３３では、ステップＳ３２で抽出された商品番号と同一番号を持つ商品データを商品マスタファイル１０から抽出する。この抽出処理で商品情報として、例えば、商品名及び価格が抽出される。
【００６６】
そして、ステップＳ３４では、ステップＳ３３で抽出された商品名及び価格をＰＯＳ処理部４のＨＤＤ４０等の記録媒体に記録させ、商品登録処理を完了し、メインルーチン（図１６）に戻る。
【００６７】
また、図１６に示すプログラム処理において、ステップＳ５の分類画面表示処理は、例えば、図１９に示すフローチャートで実行される。図１９は、分類画面表示処理を示している。
【００６８】
ステップＳ５１ではメイン画面８０において、操作者が指を接触させた分類キー９０Ａ〜９０Ｆの位置を検出する。この処理は、タッチパネル７０によって行われ、接触した分類キー９０Ａ〜９０Ｆの位置を表すキー位置情報がタッチパネル７０からＣＰＵ３６に取り込まれる。
【００６９】
ステップＳ５２では、キー位置情報を基にキーに対応する次画面８０Ａ〜８０Ｆを表す次画面番号を検出する。即ち、この処理は画面レイアウトファイル８を参照して行われる。
【００７０】
ステップＳ５３では、ステップＳ５２で抽出された次画面番号即ち、画面番号となる商品の画面構成データであるキー名称、色、サイズ、キー位置等を画面レイアウトファイル８から検出する。
【００７１】
そして、ステップＳ５４では、ステップＳ５３で抽出された画面情報に基づいて分類キー９０Ａ〜９０Ｆに対応する次画面８０Ａ〜８０Ｆを構成してステップＳ５５に移行し、ステップＳ５５では、表示部７２に次画面８０Ａ〜８０Ｆの何れかが展開されて表示される。即ち、メイン画面８０から分類キー９０Ａ〜９０Ｆの接触により、画面切換えが実行され、次画面８０Ａ〜８０Ｆの何れかが表示される。
【００７２】
このような処理によれば、表示部７２にメイン画面８０を表示して分類キー９０Ａ〜９０Ｆ及び商品に対応するキー１００、Ｋ１を表示し、分類キー９０Ａ〜９０Ｆの操作によって次画面８０Ａ〜８０Ｆを表示することができ、メイン画面８０から商品を検索して登録できるとともに、メイン画面８０上のキー数、商品数が限られていても、分類キー９０Ａ〜９０Ｆに関係付けられた次画面８０Ａ〜８０Ｆに切り換えて商品を検索して登録することができ、表示部７２のコンパクト化とともに、画面切換え、文字表示及び彩色表示の併用により、キー操作の容易化、商品の検索性を高めることができる。
【００７３】
以上の処理を図２０及び図２１を参照して説明する。図２０及び図２１は、登録画面の操作及び画面切換えを示している。
【００７４】
キーボード部１４の表示部７２には、例えば、図２０の（Ａ）に示すように、メイン画面８０が展開されて表示される。このメイン画面８０において、商品登録キーである「紅玉」キーＫ１にタッチすると、「紅玉」が選択されてその商品登録が行われる。メイン画面８０には、売れ筋商品が割り付けられており、即ち、頻繁に利用される商品名が表示されている。そこで、次画面８０Ａ〜８０Ｆにはメイン画面８０のキー数を超える商品を表示するか、特異な商品を割り付ける。例えば、顧客が「パインアップル」を購入する場合、メイン画面８０には「パインアップル」が存在しない。この場合、「パインアップル」は「果物」であるから、図２０の（Ｂ）に示すように、分類キー９０Ａ〜９０Ｆ中の「果物」が表示された分類キー９０Ｃに指を接触させることで、図２０の（Ｃ）に示すように、次画面８０Ｃを表示させる。この次画面８０Ｃでは、メイン画面８０で桃色に表示されていた「果物」に属するキーＫ１の表示は異なる彩色、即ち、灰色等で表示し、次画面８０Ｃで登場した新たなキーＫ２は分類キー９０Ｃと同一彩色の桃色で表示する。この次画面８０Ｃには、「パインアップル」が存在するので、このキーに接触することで、この商品「パインアップル」を登録することができる。この次画面８０Ｃでの商品登録が完了したとき、「メイン品目」が表示された画面切換キー８８を操作することで、次画面８０Ｃからメイン画面８０に画面切換えをすることができる。
【００７５】
また、例えば、図２１の（Ａ）に示すメイン画面８０にはない例えば、「春菊」を選択する場合には、図２１の（Ｂ）に示すように、「葉もの野菜」が表示された分類キー９０Ａを操作し、図２１の（Ｃ）に示すように、次画面８０Ａを表示し、この次画面８０Ａにある「春菊」が表示されたキーＫ２を選択して操作すれば、商品「春菊」を登録することができる。同様に、メイン画面８０に表示された他の分類キー９０Ｂ、９０Ｄ〜９０Ｆの操作により次画面８０Ｂ、８０Ｄ〜８０Ｆを表示し、各次画面８０Ｂ、８０Ｄ〜８０Ｆに表示されたキーに接触して商品を選定することにより、メイン画面８０にはない商品を登録することができる。
【００７６】
係る表示方法によれば、メイン画面８０から次画面８０Ａ〜８０Ｆに切り換えて商品を選択し、登録することができ、しかも、次画面８０Ａ〜８０Ｆには分類キー９０Ａ〜９０Ｆに関係付けられたキーエリア１００Ａ〜１００ＦのキーＫ１をメイン画面８０と同位置に異なる彩色例えば、灰色等の目立たない彩色で表示するので、チェッカー等の操作者はメイン画面８０でのキー位置の学習効果が期待できる。しかも、次画面８０Ａ〜８０Ｆで登場する商品を表示したキーエリア１０３Ａ〜１０３Ｆに係るキーＫ２は、メイン画面８０のキーエリア１００Ａ〜１００Ｆに隣接して表示されるので、そのキーの学習効果を利用でき、検索性を高めることができる。
【００７７】
また、メイン画面８０には頻繁に使用されるキーＫ１を設定し、次画面８０Ａ〜８０Ｆには使用度の低いキーＫ２を配置することができ、画面によるキーの選択によって検索性を高めることができる。
【００７８】
また、次画面８０Ａ〜８０Ｆでは、選択された分類キー９０Ａ〜９０Ｆに対応したキーエリア１００Ａ〜１００Ｆ、１０３Ａ〜１０３Ｆのみを表示し、無関係なキーを例えば、図２０の（Ｃ）及び図２１の（Ｃ）に示すように、消去するので、操作ミスによる商品の過誤登録を防止することができる。
【００７９】
また、メイン画面８０は分類キー９０Ａ〜９０Ｆにより次画面８０Ａ〜８０Ｆに切り換えることができ、次画面８０Ａ〜８０Ｆの表示は、「メイン品目」を表示した画面切換キー８８によってメイン画面８０に容易に復帰させることができるので、メイン画面８０及び次画面８０Ａ〜８０Ｆのキー選択を迅速に行うことができ、検索性を高めることができる。
【００８０】
また、メイン画面８０に設定される分類キー９０Ａ〜９０Ｆ及び各キーＫ１の設定は、領域、項目、個数又は名称について自由に設定することができ、また、次画面８０Ａ〜８０Ｆのキーエリア１０３Ａ〜１０３Ｆについても、自由に配置することができ、キーエリア１００Ａ〜１００Ｆと別個に離間した位置に設定してもよい。
【００８１】
以上説明した実施の形態では、本発明に係るタッチパネル式キーボード、タッチパネル式キーボードの表示方法、タッチパネル式キーボードの表示プログラム及び記録媒体をＰＯＳシステムに利用した場合を説明したが、本発明は、実施の形態に係るＰＯＳシステムに限定されるものではない。
【００８２】
商品群や商品名の表示を除いてメイン画面８０や次画面８０Ａ〜８０ＦのキーＫ１、Ｋ２をその区画及び彩色のみで表示すれば、例えば、図２２の（Ａ）に示すメイン画面８０において、図２２の（Ｂ）に示すように、分類キー９０Ａを操作すると、図２２の（Ｃ）に示すように、分類キー９０Ａに関係付けられたキーエリア１００ＡのキーＫ１を異なる彩色で次画面８０Ａに表示し、次画面８０Ａで現れる新たなキーエリア１０３Ａの各キーＫ２を分類キー９０Ａと同一彩色で表示することができ、キーエリア１００Ａ、１０３ＡのキーＫ１、Ｋ２を選択して操作することができる。これらのキー入力は、タッチパネル７０によって検出することができる。
【００８３】
また、例えば、図２３の（Ａ）に示すメイン画面８０において、図２３の（Ｂ）に示すように、分類キー９０Ｆを操作すると、図２２の（Ｃ）に示すように、分類キー９０Ｆに関係付けられたキーエリア１００ＦのキーＫ１を異なる彩色で次画面８０Ｆに表示し、次画面８０Ｆで現れる新たなキーエリア１０３ＦのキーＫ２を分類キー９０Ｆと同一彩色で表示することができ、キーエリア１００Ｆ、１０３ＦのキーＫ１、Ｋ２を選択して操作することができる。同様に、これらのキータッチの位置情報がタッチパネル７０から得られる。
【００８４】
このような画面切換え、分類キー９０Ａ〜９０Ｆ、分類キー９０Ａ〜９０Ｆに関係付けられた１又は複数のキーＫ１又はＫ２によれば、商品選択及び登録以外の情報選択等、各種の情報処理に利用することができ、本発明は、ＰＯＳシステムの商品登録に限定されるものではない。
【００８５】
なお、上記の実施の形態において、第１の画面であるメイン画面８０、第２の画面である次画面８０Ａ〜８０Ｆの何れにも表示されていない商品や情報については、各画面上でその表示と位置との関係をストアサーバ２に随時に登録するようにしてもよい。
【００８６】
また、上記の実施の形態では、次画面８０Ａ〜８０Ｆにメイン画面８０と共通のキーＫ１を分類キー９０Ａ〜９０Ｆと異なる彩色で表示しているが、異なる彩色の態様には明度を異ならせた表示も包含されるものとし、明度や彩度を異ならせた場合、例えば、彩色の濃淡等によっても、メイン画面８０と次画面８０Ａ〜８０Ｆの共通のキーＫ１を判別することができる。また、この場合、次画面８０Ａ〜８０Ｆのみで表示されるキーＫ２についても、分類キー９０Ａ〜９０Ｆと同一彩色で表示しているが、この同一彩色には明度の異なる彩色も包含するものとし、明度や彩度の相違によって例えば、彩色の濃淡によってもメイン画面８０か次画面８０Ａ〜８０Ｆかを判別可能とすることができる。
【００８７】
また、上記の実施の形態では、メイン画面８０に表示される第１のキーＫ１、次画面８０Ａ〜８０Ｆに表示される第２のキーＫ２を２以上で構成した例を説明しているが、キーエリアによっては単一のキーを設置してもよい。
【００８８】
また、上記の実施の形態では、表示部７２にＬＣＤ表示器を用いた場合について説明したが、発光ダイオードを用いて構成してもよく、また、ブラウン管等の表示装置を用いてもよく、本発明はＬＣＤ表示器に限定されるものではない。
【００８９】
次に、本発明について、請求項に記載すべき技術的思想を請求項の記載形式に準えて付記として列挙する。
【００９０】
（付記１）  画面上に複数のキーを表示する表示部と、
この表示部に第１の画面及び第２の画面を設定し、前記第１の画面に彩色の異なる複数の分類キーと、この分類キーに対応して同一彩色で表示された１又は複数の第１のキーとを表示し、前記分類キーの操作により前記第２の画面に切り換えるとともに、この第２の画面に前記第１の画面と共通の前記第１のキーを異なる彩色に変更して表示し、前記分類キーに対応して表示する第２のキーを前記分類キーと同一彩色で表示する表示制御部と、
を備えたことを特徴とするタッチパネル式キーボード。
【００９１】
（付記２）  画面上に個別の商品又は商品群を表す複数のキーを表示する表示部と、
この表示部に第１の画面及び第２の画面を設定し、前記第１の画面上に彩色の異なる複数の商品群を表す分類キーと、前記商品群に分類される１又は複数の商品毎に設けられて前記分類キーと同一彩色からなる第１のキーとを表示し、前記分類キーの操作により前記第２の画面に切り換えるとともに、前記第２の画面に前記第１の画面と共通の前記第１のキーを異なる彩色に変更して表示し、前記第２の画面に前記分類キーに対応して表示する商品を表す１又は複数の第２のキーを前記分類キーと同一彩色で表示する表示制御部と、
を備えたことを特徴とするＰＯＳシステム。
【００９２】
（付記３）  画面上に複数のキーを表示するタッチパネル式キーボードの表示方法であって、
第１の画面に彩色の異なる複数の分類キーとともに、この分類キーに対応して同一彩色で表示された１又は複数の第１のキーを表示するステップと、
前記分類キーの操作により前記第１の画面を第２の画面に切り換えるステップと、
前記第２の画面に前記第１の画面と共通の前記第１のキーを異なる彩色に変更して表示するとともに、前記分類キーに対応して表示される第２のキーを前記分類キーと同一彩色で表示するステップと、
を備えたことを特徴とするタッチパネル式キーボードの表示方法。
【００９３】
（付記４）  画面上に複数のキーを表示するタッチパネル式キーボードの表示プログラムであって、
第１の画面に彩色の異なる複数の分類キーとともに、この分類キーに対応して同一彩色で表示された１又は複数の第１のキーを表示する機能と、
前記分類キーの操作により前記第１の画面を第２の画面に切り換える機能と、
前記第２の画面に前記第１の画面と共通の前記第１のキーを異なる彩色に変更して表示するとともに、前記分類キーに対応して表示される第２のキーを前記分類キーと同一彩色で表示する機能と、
を備え、これらの機能を情報処理装置に実行させることを特徴とするタッチパネル式キーボードの表示プログラム。
【００９４】
（付記５）  画面上に複数のキーを表示するタッチパネル式キーボードの表示プログラムを格納した記録媒体であって、
第１の画面に彩色の異なる複数の分類キーとともに、この分類キーに対応して同一彩色で表示された１又は複数の第１のキーを表示する機能と、
前記分類キーの操作により前記第１の画面を第２の画面に切り換える機能と、
前記第２の画面に前記第１の画面と共通の前記第１のキーを異なる彩色に変更して表示するとともに、前記分類キーに対応して表示される第２のキーを前記分類キーと同一彩色で表示する機能と、
を備え、これらの機能を情報処理装置に実現させる表示プログラムを格納したことを特徴とする記録媒体。
【００９５】
（付記６）  画面上に複数のキーを表示するとともに、前記キーの位置を検出する検出手段を備えた表示部と、
この表示部に第１の画面及び第２の画面を設定し、前記第１の画面に彩色の異なる複数の分類キーと、この分類キーに対応して同一彩色で表示された１又は複数の第１のキーとを表示し、前記分類キーの操作による前記検出手段の検出出力に基づいて前記第２の画面に切り換えるとともに、この第２の画面に前記分類キーに対応して表示される第２のキーを前記分類キーと同一彩色で表示する表示制御部と、
を備えたことを特徴とするタッチパネル式キーボード。
【００９６】
（付記７）  画面上に個別の商品又は商品群を表す複数のキーを表示するとともに、前記キーの位置を検出する検出手段を備えた表示部と、
この表示部に第１の画面及び第２の画面を設定し、前記第１の画面上に彩色の異なる複数の商品群を表す分類キーと、前記商品群に分類される１又は複数の商品毎に設けられて前記分類キーと同一彩色からなる第１のキーとを表示し、前記分類キーの操作による前記検出手段の検出出力に基づいて前記第２の画面に切り換えるとともに、この第２の画面に前記分類キーに対応して表示される商品を表す１又は複数の第２のキーを前記分類キーと同一彩色で表示する表示制御部と、
を備えたことを特徴とするタッチパネル式キーボード。
【００９７】
（付記８）  前記第２の画面から前記第１の画面に切り換える切換キーを前記第２の画面に備えたことを特徴とする付記１記載のタッチパネル式キーボード。
【００９８】
（付記９）  前記第２の画面に切り換えられたとき、前記第１の画面に表示されていた前記第１のキーの中で操作に係る前記分類キーに対応しないキーは前記第２の画面で消去させることを特徴とする付記１記載のタッチパネル式キーボード。
【００９９】
（付記１０）  前記第２の画面に切り換えられたとき、前記第１の画面と共通の第１のキーは、前記第２の画面上に前記第１の画面と共通の位置に表示することを特徴とする付記１記載のタッチパネル式キーボード。
【０１００】
（付記１１）  前記分類キーの操作による画面切換えに基づき、前記第２の画面に表示される前記第１の画面と共通の前記第１のキーは、前記第１の画面と同一彩色で明度を変更して表示し、前記分類キーに対応して前記第２の画面のみに表示される前記第２のキーは、前記分類キーと同一彩色で表示することを特徴とする付記１記載のタッチパネル式キーボード。
【０１０１】
（付記１２）  前記第１又は第２の画面において、同一彩色の第１のキーの配置エリアを設定し、同一彩色の第２のキーを隣接して配置することを特徴とする付記１記載のタッチパネル式キーボード。
【０１０２】
（付記１３）  前記分類キーに対応して前記第２の画面のみに表示される前記第２のキーは、前記分類キーと同一彩色で明度を変更して表示することを特徴とする付記１記載のタッチパネル式キーボード。
【０１０３】
以上説明したように、本発明の最も好ましい実施の形態等について説明したが、本発明は、上記記載に限定されるものではなく、特許請求の範囲に記載され、又は発明の詳細な説明に開示された発明の要旨に基づき、当業者において様々な変形や変更が可能であることは勿論であり、係る変形や変更は、本発明の範囲に含まれるものである。
【０１０４】
【発明の効果】
以上説明したように、本発明によれば、次の効果が得られる。
（１）  第１の画面と第２の画面とを分類キー及び彩色によって関係付けて表示し、画面間の切換えによるキー数を増大させることができ、キーの大きさを変えることなく、キーの視認性、学習性、操作性を高めることができるとともに、各キーによる情報の検索性を向上させることができる。
（２）  キーに表示した商品の視認性、学習性及び検索性を高めることができ、例えば、ＰＯＳシステムでのキーの操作性を向上させることができ、登録作業の効率化に寄与することができる。
【図面の簡単な説明】
【図１】本発明の実施の形態に係るＰＯＳシステムの概要を示すブロック図である。
【図２】ＰＯＳシステムのストアサーバを示すブロック図である。
【図３】ＰＯＳ処理部及びキーボード部を示すブロック図である。
【図４】データベース及びデータ構造を示す図である。
【図５】キーボード部の画面構成を示す図である。
【図６】表示部のメイン画面のキーを示す図である。
【図７】メイン画面上のキーの彩色を示す図である。
【図８】次画面上のキーの彩色を示す図である。
【図９】他の次画面上のキーの彩色を示す図である。
【図１０】メイン画面のキーの文字表示を示す図である。
【図１１】次画面のキーの文字表示を示す図である。
【図１２】他の次画面のキーの文字表示を示す図である。
【図１３】メイン画面の文字表示及び彩色を示す図である。
【図１４】次画面の文字表示及び彩色を示す図である。
【図１５】他の次画面の文字表示及び彩色を示す図である。
【図１６】本発明の実施の形態に係る処理のメインルーチンを示すフローチャートである。
【図１７】メイン画面表示を示すフローチャートである。
【図１８】商品登録を示すフローチャートである。
【図１９】分類画面表示を示すフローチャートである。
【図２０】メイン画面から次画面への切換えを示す図である。
【図２１】表示部のメイン画面から次画面への切換えを示す図である。
【図２２】他の実施の形態に係る表示部のメイン画面から次画面への切換えを示す図である。
【図２３】他の実施の形態に係る表示部のメイン画面から他の次画面への切換えを示す図である。
【符号の説明】
４  ＰＯＳ処理部（表示制御部）
１４  キーボード部
７２  表示部
８０  メイン画面（第１の画面）
８０Ａ〜８０Ｆ  次画面（第２の画面）
９０Ａ〜９０Ｆ  分類キー
１００  キー
１００Ａ〜１００Ｆ、１０３Ａ〜１０３Ｆ  キーエリア
Ｋ１  第１のキー
Ｋ２  第２のキー
【図１】
2004178443.tif 000003
【図２】
2004178443.tif 000004
【図３】
2004178443.tif 000005
【図４】
2004178443.tif 000006
【図５】
2004178443.tif 000007
【図６】
2004178443.tif 000008
【図７】
2004178443.tif 000009
【図８】
2004178443.tif 000010
【図９】
2004178443.tif 000011
【図１０】
2004178443.tif 000012
【図１１】
2004178443.tif 000013
【図１２】
2004178443.tif 000014
【図１３】
2004178443.tif 000015
【図１４】
2004178443.tif 000016
【図１５】
2004178443.tif 000017
【図１６】
2004178443.tif 000018
【図１７】
2004178443.tif 000019
【図１８】
2004178443.tif 000020
【図１９】
2004178443.tif 000021
【図２０】
2004178443.tif 000022
【図２１】
2004178443.tif 000023
【図２２】
2004178443.tif 000024
【図２３】
2004178443.tif 000025